(57)【特許請求の範囲】
【請求項１】
所定有価価値に応じて貸出される遊技媒体の払出を行う遊技装置において、
前記遊技媒体の貸出の制御を行う遊技媒体貸出制御手段と、
前記遊技媒体の払出の制御を行う遊技媒体払出制御手段と、
前記遊技媒体払出制御手段によって制御される所定有価価値分の遊技媒体の払出数を設定する遊技媒体払出数設定手段と、
租税相当分の遊技媒体を徴収する租税徴収手段と、
を備え、
前記遊技媒体貸出制御手段は、遊技者による貸出価値に応じた遊技媒体の貸出要求に基づき、前記遊技媒体払出制御手段に対して払出要求を行う払出要求手段を備え、
前記払出要求手段は、
遊技者による遊技媒体の貸出要求に基づき、前記遊技媒体払出制御手段に対して貸出動作開始を指令する貸出動作開始信号を送信する貸出動作開始指令手段と、
前記貸出動作開始指令手段により貸出動作開始信号を送信してから、所定時間経過後に前記遊技媒体払出制御手段に対して遊技媒体の払出要求を指令する払出要求信号を送信する払出要求指令手段と、
前記貸出動作開始指令手段による貸出動作開始信号の送信から前記払出要求指令手段による払出要求信号の送信までの送信時間を制御する指令送信制御手段と、
を備え、
前記指令送信制御手段は、前記遊技媒体の貸出価値に応じて前記送信時間を異ならせるようにし、
前記遊技媒体払出制御手段は、１回の貸出制御に基づき、最小単位の有価価値ごとに所定回数、遊技媒体を払い出す制御を行う最小単位払出制御手段を備え、
前記遊技媒体払出数設定手段は、
払出しに要する遊技媒体の貸出価値を設定変更することで、前記遊技媒体払出制御手段によって制御される所定有価価値分の遊技媒体の払出数を変更する遊技媒体払出数変更手段を備え、
前記払出要求手段からの払出要求に基づき、前記最小単位払出制御手段によって払い出される最小単位の有価価値分の遊技媒体の払出数を設定し、
前記租税徴収手段は、
払出しに要する遊技媒体の貸出価値に応じて租税相当分の遊技媒体数を異ならせるようにし、
前記遊技媒体払出数設定手段によって設定された最小単位の有価価値分の遊技媒体の払出数から前記貸出価値に応じた租税相当分の遊技媒体数を演算するとともに、該演算の結果に基づき租税相当分の遊技媒体数の遊技媒体を徴収することを特徴とする遊技装置。
【請求項２】
前記遊技媒体払出制御手段は、前記指令送信制御手段により制御される送信時間に応じて、前記遊技媒体の貸出価値を設定することにより、前記遊技媒体払出数設定手段へ払出数設定指令を行い、所定有価価値分の遊技媒体の払出数を設定することを特徴とする請求項１に記載の遊技装置。
【請求項３】
前記遊技媒体払出数設定手段は、前記遊技媒体払出制御手段から指令される払出数設定指令に基づき遊技媒体の払出数を設定し、
前記租税徴収手段は、予め設定された租税率を読み出し、該租税率に応じて前記払出数設定手段によって設定された払出数から租税相当分の遊技媒体を徴収することを特徴とする請求項２に記載の遊技装置。
【請求項４】
前記租税徴収手段は、前記最小単位払出制御手段による最小単位の有価価値分の払出数から租税相当分の遊技媒体数を演算し、該演算による遊技媒体数に基づく徴収租税額と法定租税額との間に乖離が発生した場合は、前記所定回数の遊技媒体の払出のうち最終の最小単位の有価価値分の払出数から前記乖離分の遊技媒体数を減算することを特徴とする請求項３に記載の遊技装置。
【請求項５】
当該遊技装置は、所定の遊技を実行可能に構成され、
前記遊技媒体払出制御手段は、前記遊技の結果に基づいて賞として付与される遊技媒体の払出の制御を実行可能であり、
前記租税徴収手段は、前記所定回数の遊技媒体の払出のうち最終の最小単位の有価価値分の払出数から前記乖離分の遊技媒体数を減算してもまだ前記徴収租税額が前記法定租税額に満たない場合は、不足租税相当分の遊技媒体を前記賞として付与される遊技媒体から徴収することを特徴とする請求項４に記載の遊技装置。
【請求項６】
前記租税徴収手段は、租税相当分の遊技媒体を前記賞として付与される遊技媒体から徴収するか否かを選択する租税徴収選択手段を備え、
前記所定回数の遊技媒体の払出のうち最終の最小単位の有価価値分の払出数から前記乖離分の遊技媒体数を減算してもまだ前記徴収租税額が前記法定租税額に満たない場合は、さらに、前記租税徴収選択手段によって、租税相当分の遊技媒体を前記賞として付与される遊技媒体から徴収することを選択された場合、不足租税相当分の遊技媒体を前記賞として付与される遊技媒体から徴収することを特徴とする請求項５に記載の遊技装置。
【発明の詳細な説明】
【技術分野】
【０００１】
本発明は、所定有価価値に応じて貸出される遊技媒体の払出を行う遊技装置に関する。
【背景技術】
【０００２】
従来、遊技機として、例えば、パチンコ遊技機は、遊技球を発射装置によって遊技領域に発射し、遊技領域に設けられている入賞口などの入賞領域に遊技球が入賞すると、所定個の遊技球が賞球として遊技者に払い出されるものがある。そして、遊技球の払い出しは払出機構によって行われる。
また、遊技者は、遊技球を借り出し、借り出した遊技球および入賞に応じて払い出された遊技球を用いて遊技を行う。その場合、例えば、遊技者は、カードユニット等の遊技用装置に対してプリペイドカード等の有価価値を有する記録媒体を装着した後、貸与要求を入力する。すると、遊技用装置は、パチンコ遊技機に対して球貸要求信号を出力する。パチンコ遊技機は、遊技用装置からの球貸要求信号に応じて遊技者に遊技用価値としての遊技球を貸し出す。遊技球の貸出に際して、１球当たりの遊技球の価値は決まっているので（例えば４円／球）、例えば、１００円分の貸与要求に対して、カードユニット等の遊技用装置は、有価価値を有する記録媒体から１００円分の価値を減少させる。
なお、有価価値とは金額に相当するものであり、遊技用価値とは、遊技球１球あたりの価値（例えば４円／球）や所定数の遊技球の価値（例えば２５個に対応する１００円）に相当するものである。また、遊技用価値の貸与に関する情報には、遊技用価値の貸与を要求するためのカードユニットから遊技機に対する情報と、遊技用価値の貸与の実行に関する遊技機からカードユニットに対する情報が含まれる。
ところで、プリペイドカード等の有価価値を有する記録媒体を購入する際、遊技店にて遊技者から徴収すべき税金（消費税）を加味した外税方式又は内税方式のいずれかによって、プリペイドカード等を購入させるようにした遊技ホールシステムが提案されている（特許文献１）。
【特許文献１】特開２００２−０６６０７７号公報
【発明の開示】
【発明が解決しようとする課題】
【０００３】
しかしながら、特許文献１に記載の遊技ホールシステムのように、プリペイドカードを購入する際、カード販売機において外税方式で税金を徴収するようにすると、プリペイドカードを購入する場合に税金分に相当する小銭が必要となり、遊技者が小銭を所持していないと記憶媒体を購入することができない。その場合、小銭両替機を遊技店に設置することも考えられるが、その両替機を設置するための設備投資が遊技店の負担となってしまう。
また、特許文献１に記載の遊技ホールシステムでは、カード販売機においてプリペイドカードを購入する際、内税方式として、税率５％の場合に１００円あたりの遊技球の貸与数２５個を２４個とし、１個を税金分として差し引くようにしている。
しかし、近年では、遊技球の貸与に際して、１個当たりの遊技球の価値を決められた固定値ではなく、営業形態に応じて遊技店側が自由に決めた固定値（例えば１円／球や２円／球等）で営業を行うことが考えられている。このような営業形態では、例えば、固定値を１円／球に設定した場合に１００円分で１００球、２円／球に設定した場合に１００円分で５０球の遊技球が貸与される。
そうすると、特許文献１に記載の遊技ホールシステムのように、１００円あたりの遊技球の貸与数から単純に１個を税金分として差し引いても、税金を適切に徴収していることにはならない。
【０００４】
本発明の目的は、貸与する遊技媒体の払出数が変更される場合であっても、適切に税金を徴収することができる遊技装置を提供することである。
【課題を解決するための手段】
【０００５】
以上の課題を解決するため、請求項１に記載の発明は、
所定有価価値に応じて貸出される遊技媒体の払出を行う遊技装置において、
前記遊技媒体の貸出の制御を行う遊技媒体貸出制御手段と、
前記遊技媒体の払出の制御を行う遊技媒体払出制御手段と、
前記遊技媒体払出制御手段によって制御される所定有価価値分の遊技媒体の払出数を設定する遊技媒体払出数設定手段と、
租税相当分の遊技媒体を徴収する租税徴収手段と、
を備え、
前記遊技媒体貸出制御手段は、遊技者による貸出価値に応じた遊技媒体の貸出要求に基づき、前記遊技媒体払出制御手段に対して払出要求を行う払出要求手段を備え、
前記払出要求手段は、
遊技者による遊技媒体の貸出要求に基づき、前記遊技媒体払出制御手段に対して貸出動作開始を指令する貸出動作開始信号を送信する貸出動作開始指令手段と、
前記貸出動作開始指令手段により貸出動作開始信号を送信してから、所定時間経過後に前記遊技媒体払出制御手段に対して遊技媒体の払出要求を指令する払出要求信号を送信する払出要求指令手段と、
前記貸出動作開始指令手段による貸出動作開始信号の送信から前記払出要求指令手段による払出要求信号の送信までの送信時間を制御する指令送信制御手段と、
を備え、
前記指令送信制御手段は、前記遊技媒体の貸出価値に応じて前記送信時間を異ならせるようにし、
前記遊技媒体払出制御手段は、１回の貸出制御に基づき、最小単位の有価価値ごとに所定回数、遊技媒体を払い出す制御を行う最小単位払出制御手段を備え、
前記遊技媒体払出数設定手段は、
払出しに要する遊技媒体の貸出価値を設定変更することで、前記遊技媒体払出制御手段によって制御される所定有価価値分の遊技媒体の払出数を変更する遊技媒体払出数変更手段を備え、
前記払出要求手段からの払出要求に基づき、前記最小単位払出制御手段によって払い出される最小単位の有価価値分の遊技媒体の払出数を設定し、
前記租税徴収手段は、
払出しに要する遊技媒体の貸出価値に応じて租税相当分の遊技媒体数を異ならせるようにし、
前記遊技媒体払出数設定手段によって設定された最小単位の有価価値分の遊技媒体の払出数から前記貸出価値に応じた租税相当分の遊技媒体数を演算するとともに、該演算の結果に基づき租税相当分の遊技媒体数の遊技媒体を徴収することを特徴とする。
【０００６】
ここで、「有価価値」とは、金銭上の価値であり、金銭に限らず、金銭によって交換されたプリペイドカードなどを含む。「遊技媒体」は、例えば、遊技球、メダルなどである。「貸出価値」とは、遊技媒体を貸与する際に設定された遊技媒体１個あたりの有価価値をいう。
【０００７】
請求項１に記載の発明によれば、租税徴収手段によって、遊技媒体払出数変更手段によって、所定有価価値分の遊技媒体の払出数を変更されて設定された該遊技媒体の払出数から租税相当分の遊技媒体数を演算するとともに、該演算の結果に基づき租税相当分の遊技媒体数の遊技媒体を徴収することができる。
従って、所定有価価値分の遊技媒体の払出数を設定変更することができるとともに、設定変更された払出数から租税相当分の遊技媒体数を演算して、該演算の結果に基づき租税相当分の遊技媒体を徴収することができることとなり、遊技媒体の徴収により、適切に税金を徴収することができる。また、遊技装置１台で、遊技媒体の払出、払出しに要する遊技媒体の払出数の設定変更及び租税相当分の遊技媒体の徴収と３役をこなすことができることとなり、設備投資等の負担を好適に削減することができる。
【００１０】
また、遊技媒体払出数設定手段によって、払出しに要する遊技媒体の貸出価値を設定変更するので、価値基準を一見して容易に把握することができるようになり、所定有価価値分の遊技媒体の払出数を好適に設定することができる。
【００１２】
また、最小単位払出制御手段によって、１回の貸出制御に基づき、最小単位の有価価値ごとに所定回数、遊技媒体を払い出す制御を行うことができ、遊技媒体払出数設定手段は、最小単位払出制御手段によって払い出される最小単位の有価価値分の遊技媒体の払出数を設定することができるので、遊技媒体の貸出が少量の遊技客に対しても、遊技媒体の払出数を好適に設定することができる。
【００１４】
また、租税徴収手段によって、遊技媒体払出数設定手段によって設定された最小単位の有価価値分の遊技媒体の払出数から租税相当分の遊技媒体数を演算することができるので、遊技媒体の貸出が少量の遊技客に対しても、租税相当分の遊技媒体を好適に徴収することができる。
【００１６】
また、租税徴収手段によって、払出しに要する遊技媒体の貸出価値に応じて租税相当分の遊技媒体数を異ならせることができる。
【００１８】
また、遊技媒体の貸出の制御を行う遊技媒体貸出制御手段を備え、遊技媒体貸出制御手段は、払出要求手段によって、遊技者による貸出価値に応じた遊技媒体の貸出要求に基づき、前記遊技媒体払出制御手段に対して払出要求を行うことができ、遊技媒体払出数設定手段によって、払出要求手段からの払出要求に基づき、最小単位払出制御手段によって払い出される最小単位の有価価値分の遊技媒体の払出数を設定することができる。
従って、遊技媒体の貸出の段階で、遊技媒体払出数設定手段によって設定された最小単位の有価価値分の遊技媒体の払出数を設定することができることとなり、遊技媒体の貸出が少量の遊技客に対しても、租税相当分の遊技媒体を事前に徴収することができる。
【００２０】
また、払出要求手段は、貸出動作開始指令手段によって、遊技者による遊技媒体の貸出要求に基づき、遊技媒体払出制御手段に対して貸出動作開始を指令する貸出動作開始信号を送信することができ、払出要求指令手段によって、貸出動作開始指令手段により貸出動作開始信号を送信してから、所定時間経過後に遊技媒体払出制御手段に対して遊技媒体の払出要求を指令する払出要求信号を送信することができ、指令送信制御手段によって、貸出動作開始指令手段による貸出動作開始信号の送信から払出要求指令手段による払出要求信号の送信までの送信時間を制御することができ、指令送信制御手段は、遊技媒体の貸出価値に応じて前記送信時間を異ならせることができる。
従って、送信時間を異ならせることによって、遊技媒体の貸出価値を設定変更することができることとなり、当該設定変更処理の負担を好適に軽減することができる。
【００２１】
請求項２に記載の発明は、請求項１に記載の遊技装置であって、
前記遊技媒体払出制御手段は、前記指令送信制御手段により制御される送信時間に応じて、前記遊技媒体の貸出価値を設定することにより、前記遊技媒体払出数設定手段へ払出数設定指令を行い、所定有価価値分の遊技媒体の払出数を設定することを特徴とする。
【００２２】
請求項２に記載の発明によれば、遊技媒体払出制御手段によって、指令送信制御手段により制御される送信時間に応じて、遊技媒体の貸出価値を設定することにより、遊技媒体払出数設定手段へ払出数設定指令を行い、所定有価価値分の遊技媒体の払出数を設定することができることとなり、当該設定変更処理の負担を好適に軽減することができる。
【００２３】
請求項３に記載の発明は、請求項２に記載の遊技装置であって、
前記遊技媒体払出数設定手段は、前記遊技媒体払出制御手段から指令される払出数設定指令に基づき遊技媒体の払出数を設定し、
前記租税徴収手段は、予め設定された租税率を読み出し、該租税率に応じて前記払出数設定手段によって設定された払出数から租税相当分の遊技媒体を徴収することを特徴とする。
【００２４】
請求項３に記載の発明によれば、遊技媒体払出数設定手段によって、遊技媒体払出制御手段から指令される払出数設定指令に基づき遊技媒体の払出数を設定することができ、租税徴収手段によって、予め設定された租税率を読み出し、該租税率に応じて払出数設定手段によって設定された払出数から租税相当分の遊技媒体を徴収することができるので、税率の変更に対しても好適に対処することができ、租税相当分の遊技媒体を好適に徴収することができることとなり、より適切に税金を徴収することができる。
【００２５】
請求項４に記載の発明は、請求項３に記載の遊技装置であって、
前記租税徴収手段は、前記最小単位払出制御手段による最小単位の有価価値分の払出数から租税相当分の遊技媒体数を演算し、該演算による遊技媒体数に基づく徴収租税額と法定租税額との間に乖離が発生した場合は、前記所定回数の遊技媒体の払出のうち最終の最小単位の有価価値分の払出数から前記乖離分の遊技媒体数を減算することを特徴とする。
【００２６】
請求項４に記載の発明によれば、最小単位払出制御手段による最小単位の有価価値分の払出数から租税相当分の遊技媒体数を演算し、該演算による遊技媒体数に基づく徴収租税額と法定租税額との間に乖離が発生した場合は、租税徴収手段によって、所定回数の遊技媒体の払出のうち最終の最小単位の有価価値分の払出数から乖離分の遊技媒体数を減算することができるので、より適切に税金を徴収することができる。
【００２７】
請求項５に記載の発明は、請求項４に記載の遊技装置であって、
当該遊技装置は、所定の遊技を実行可能に構成され、
前記遊技媒体払出制御手段は、前記遊技の結果に基づいて賞として付与される遊技媒体の払出の制御を実行可能であり、
前記租税徴収手段は、前記所定回数の遊技媒体の払出のうち最終の最小単位の有価価値分の払出数から前記乖離分の遊技媒体数を減算してもまだ前記徴収租税額が前記法定租税額に満たない場合は、不足租税相当分の遊技媒体を前記賞として付与される遊技媒体から徴収することを特徴とする。
【００２８】
請求項５に記載の発明によれば、当該遊技装置は、所定の遊技を実行可能に構成され、遊技媒体払出制御手段によって、遊技の結果に基づいて賞として付与される遊技媒体の払出の制御を実行することができ、租税徴収手段によって、所定回数の遊技媒体の払出のうち最終の最小単位の有価価値分の払出数から乖離分の遊技媒体数を減算してもまだ前記徴収租税額が前記法定租税額に満たない場合は、不足租税相当分の遊技媒体を前記賞として付与される遊技媒体から徴収することができるので、遊技店側の租税負担を好適に抑制するとともに、より適切に税金を徴収することができる。
【００２９】
請求項６に記載の発明は、請求項５に記載の遊技装置であって、
前記租税徴収手段は、租税相当分の遊技媒体を前記賞として付与される遊技媒体から徴収するか否かを選択する租税徴収選択手段を備え、
前記所定回数の遊技媒体の払出のうち最終の最小単位の有価価値分の払出数から前記乖離分の遊技媒体数を減算してもまだ前記徴収租税額が前記法定租税額に満たない場合は、さらに、前記租税徴収選択手段によって、租税相当分の遊技媒体を前記賞として付与される遊技媒体から徴収することを選択された場合、不足租税相当分の遊技媒体を前記賞として付与される遊技媒体から徴収することを特徴とする。
【００３０】
請求項６に記載の発明によれば、租税徴収手段は、租税相当分の遊技媒体を賞として付与される遊技媒体から徴収するか否かを選択する租税徴収選択手段を備え、所定回数の遊技媒体の払出のうち最終の最小単位の有価価値分の払出数から乖離分の遊技媒体数を減算してもまだ前記徴収租税額が前記法定租税額に満たない場合は、さらに、租税徴収選択手段によって、租税相当分の遊技媒体を賞として付与される遊技媒体から徴収することを選択された場合、不足租税相当分の遊技媒体を賞として付与される遊技媒体から徴収することができるので、遊技店側は、不足租税相当分の遊技媒体を賞として付与される遊技媒体から徴収しないことを選択することができることとなり、かかる選択をすることによって、遊技客にサービス付与を行い、好適に集客率を上げることができる。
【発明の効果】
【００３１】
本発明によれば、租税徴収手段によって、遊技媒体払出数変更手段によって、所定有価価値分の遊技媒体の払出数を変更されて設定された該遊技媒体の払出数から租税相当分の遊技媒体数を演算するとともに、該演算の結果に基づき租税相当分の遊技媒体数の遊技媒体を徴収することができる。
従って、所定有価価値分の遊技媒体の払出数を設定変更することができるとともに、設定変更された払出数から租税相当分の遊技媒体数を演算して、該演算の結果に基づき租税相当分の遊技媒体を徴収することができることとなり、遊技媒体の徴収により、適切に税金を徴収することができる。また、遊技装置１台で、遊技媒体の払出、払出しに要する遊技媒体の払出数の設定変更及び租税相当分の遊技媒体の徴収と３役をこなすことができることとなり、設備投資等の負担を好適に削減することができる。
【発明を実施するための最良の形態】
【００３２】
以下、この発明の実施形態について図面を参照して説明する。
図１に示すように、遊技店Ｈは、例えば、１００円で２５球分の遊技を行うことができるパチンコ遊技機１００を備えた通常貸球遊技エリアＨ１と、１００円で１００球分の遊技を行うことができるパチンコ遊技機１００を備えた低貸球遊技エリアＨ２と、を備えている。
【００３３】
図１に示すように、遊技店Ｈの左側領域を占める通常貸球遊技エリアＨ１には、複数列（例えば、４列）の島設備１が配置され、該島設備１夫々には、複数のパチンコ遊技機１００と、該パチンコ遊技機１００に隣接された台間球貸し機と呼ばれるＣＲ（Card Reader）ユニット２００と、該島設備１毎に配置された遊技球の計数を行う通常貸球遊技エリア用計数機３００と、を備えており、パチンコ遊技機１００と該パチンコ遊技機に隣接されたＣＲユニット２００とによって、遊技装置１０００を構成している。
【００３４】
また、図１に示すように、遊技店Ｈの右側領域を占める低貸球遊技エリアＨ２には、複数列（例えば、２列）の島設備１が配置され、該島設備１夫々には、複数のパチンコ遊技機１００と、該パチンコ遊技機１００に隣接された台間球貸し機と呼ばれるＣＲユニット２００と、該島設備１毎に配置された遊技球の計数を行う低貸球遊技エリア用計数機４００と、を備えており、パチンコ遊技機１００と該パチンコ遊技機に隣接されたＣＲユニット２００とによって、遊技装置１０００を構成している。また、遊技者が、低貸球遊技エリアＨ２で貸し出された遊技球を通常貸球遊技エリアＨ１に持ち出すことを防止するため、低貸球遊技エリアＨ２の出入口である第１エリアＨ２ａ及び第２エリアＨ２ｂには、夫々、第１エリア監視装置５００ａ、５００ｂと、第２エリア監視装置６００ａ、６００ｂが設置されている。そして、低貸球遊技エリアＨ２で貸し出された遊技球を入れる球箱にはＩＣタグ等が設けられており、かかるＩＣタグを有する球箱を持って、第１エリア監視装置５００ａと５００ｂとの間、又は、第２エリア監視装置６００ａと６００ｂとの間を通過しようとすると、エラー報知がなされるようになっている。
【００３５】
パチンコ遊技機１００は、図２に示すように、島設備１に固定される機枠１３０内にヒンジを介して片開き形式で開閉自在に装着されている。また、パチンコ遊技機１００は、機枠１３０に対して、その前面側に回動可能に軸支されたクリア部材保持枠１４０と、クリア部材保持枠１４０の下側に取り付けられた発射操作を行うための発射操作ユニット１５０とを有する。
【００３６】
クリア部材保持枠１４０は、一方の側部（パチンコ遊技機１００の前面側から見て左側の側部）が機枠１３０の一方の側部に回動可能に軸支されて扉状に開閉自在とされ、クリア部材保持枠１４０を開くことにより、遊技盤の前面側の遊技領域の前側が開放可能となっている。また、クリア部材保持枠１４０の前面であって、ガラス板１４１が固定されて遊技領域を視認可能とする部分の右側下部には、遊技球の貸し出しを受けるための球貸ボタン１４２、ＣＲユニット２００に挿入されたカードの残高度数を表示する残高表示器１４３、遊技球の貸し出しが可能か否かを表示する球貸可ＬＥＤ１４４、ＣＲユニット２００に挿入されたカードの返却を行う返却ボタン１４５などが設けられている。
【００３７】
発射操作ユニット１５０は、クリア部材保持枠１４０と同様に、一方の側部（パチンコ遊技機１００の前面側から見て左側の側部）が機枠１３０の一方の側部に回動可能に軸支されて扉状に開閉自在とされている。発射操作ユニット１５０は、排出された遊技球を貯留するとともに、遊技球を発射する発射装置に遊技球を送る上皿１５３を有しており、この上皿１５３の周囲には、遊技者が操作可能な演出用ボタン（図示略）が設けられている。また、発射操作ユニット１５０の下側には、上皿１５３に収容しきれない遊技球を収容する下皿１５４や遊技領域に向けての遊技球の発射操作を行うとともに、発射勢を調節するための操作ハンドル１５６、音声を出力するスピーカ１５７などが設けられている。
【００３８】
ＣＲユニット２００は、パチンコ遊技機１００に隣接させた状態で設置され、パチンコ遊技機１００と、ＣＲユニット２００とにより、遊技装置１０００が構成されている。ＣＲユニット２００は、カードを購入するための紙幣投入部２０１、カードの挿入又は排出を行うカード挿排部２０２、カードが利用可能であるか否かを表示するカード利用可ＬＥＤ２０３、カードが挿入された状態であること表示するカード挿入中ＬＥＤ２０４などが設けられている。ＣＲユニット２００は、挿入されたカードの残高度数のチェックなどを行っており、該カードの残高度数が、パチンコ遊技機１００側の残高表示器１４３に表示され、該カードの残高度数の範囲内で、パチンコ遊技機１００側の球貸ボタン１４２の操作に基づきパチンコ遊技機１００の上皿１５３に遊技球が排出されるようになっている。また、パチンコ遊技機１００側の返却ボタン１４５の操作に基づきカード挿排部２０２に挿入された状態のカードが排出されるようになっている。
【００３９】
通常貸球遊技エリア用計数機３００は、例えば、図１に示すように、通常貸球遊技エリアＨ１の島設備１毎に設置され、通常貸球遊技エリアＨ１に設置されたパチンコ遊技機１００による遊技で獲得した遊技球を景品交換する際に計数して景品カード（レシート）を発行するための装置であり、遊技球を該通常貸球遊技エリア用計数機３００に流し込むと自動的に遊技球の計数を開始するようになっている。
【００４０】
低貸球遊技エリア用計数機４００は、例えば、図１に示すように、低貸球遊技エリアＨ２の島設備１毎に設置され、低貸球遊技エリアＨ２に設置されたパチンコ遊技機１００による遊技で獲得した遊技球を景品交換する際に計数して景品カード（レシート）を発行するための装置であり、遊技球を該低貸球遊技エリア用計数機４００に流し込むと自動的に遊技球の計数を開始するようになっている。
【００４１】
＜遊技装置の制御系＞
次に、以上のような遊技装置の制御系について説明する。
図３に示すように、遊技装置１０００を構成するパチンコ遊技機１００は、その制御系として遊技の進行を制御する主制御基板３０、この主制御基板３０の制御下で遊技球の払出に関する制御を行う払出制御基板４０と、払出制御基板４０に電力の供給を行う電源基板５０と、を備えている。
【００４２】
払出制御基板４０は、遊技媒体の払出の制御を行う遊技媒体払出制御手段、遊技媒体払出制御手段から指令される払出数設定指令に基づき遊技媒体の払出数を設定する遊技媒体払出数設定手段、払出しに要する遊技媒体の貸出価値を設定変更することで、所定有価価値分の遊技媒体の払出数を変更する遊技媒体払出数変更手段、１回の貸出制御に基づき、最小単位の有価価値ごとに所定回数、遊技媒体を払い出す制御を行う最小単位払出制御手段、所定回数の遊技媒体の払出のうち最終の最小単位の有価価値分の払出数から乖離分の遊技媒体数を減算してもまだ遊技店側に租税負担が生じている場合（前記徴収租税額が前記法定租税額に満たない場合）は、不足租税相当分の遊技媒体を賞として付与される遊技媒体から徴収する租税徴収手段、及び、租税相当分の遊技媒体を賞として付与される遊技媒体から徴収するか否かを選択する租税徴収選択手段として機能するものであり、例えば、ＣＰＵ４０ａ、ＲＯＭ４０ｂ、ＲＡＭ４０ｃ、入出力インタフェース（入出力Ｉ／Ｆ）４１等を備えて構成されている。この払出制御基板４０は、主制御基板３０から受信した払出制御コマンドに基づいて（主制御基板３０の制御の下に）遊技球の払出制御を行うものである。また、払出制御基板４０は、入出力Ｉ／Ｆ４１を介して、払出球検出ＳＷ１０１、エラー解除ＳＷ１０２、シュート球切れＳＷ１０３、オーバーフローＳＷ１０４、税率変更ＳＷ１０５などが接続され、これらスイッチ等からの検出信号が入力されるようになっている。そして、入出力Ｉ／Ｆ４１は、これらの入力された各種信号を中継し、ＣＰＵ４０ａに対し出力する。
【００４３】
税率変更ＳＷ１０５は、例えば、払出制御基板４０の裏面に設けられており、遊技店Ｈの係員の操作によって、予め払出制御基板４０のＲＯＭ４０ｂに記憶された税率設定テーブルから一の税率を切り換えることができるようになっている。
【００４４】
具体的に、税率設定テーブルは、例えば、図４（ａ）に示すように、通常貸球の貸球価値（１００円＝２５球）設定の税率設定テーブルと、（ｂ）に示すように、低貸球の貸球価値（１００円＝１００球）設定の税率設定テーブルと、を備えている。
【００４５】
図４（ａ）に示すように、通常貸球の貸球価値（１００円＝２５球）設定の税率設定テーブルは、税設定として税設定ＡからＨまで記憶しており、税率５％〜１２％を設定することができるようになっている。なお、遊技者は、パチンコ遊技機１００から遊技球を借りる際、球貸ＳＷ１４２の１回の操作に応じて５００円分の貸球を５度数に分けて払出すことができるようになっており、１度数目で１００円分の貸球２５球、２度数目で１００円分の貸球２５球、…、５度数目で１００円分の貸球２５球と、合計５００円分の貸球１２５球を払出すことができる。そして、当該税率設定テーブルには、夫々の税設定５％〜１２％に対応付けて、度数毎に税相当数分の遊技球数を差し引いた遊技球の払出数が記憶されている。また、夫々の税設定５％〜１２％に対応付けて、徴収賞球数が記憶されている。この徴収賞球数とは、別途、遊技中の賞球発生時に賞球から税相当分の遊技球を徴収するものである。具体的には、例えば、税設定Ａ（５％）の場合、１度数分（１００円）の税は５円であるため、１球あたり４円の価値を有する遊技球を１球徴収する。そして、同じように、１度数目から４度数目まで、１球ずつ遊技球を徴収する。しかし、このとき、度数毎の税負担は５円であるのに対し、４円分の遊技球しか徴収できていないため、１度数目から４度数目までは、遊技店側が１円ずつ徴収すべき税を負担していることとなり、５度数目で遊技球を２球徴収するが、これでもまだ、５度数分の合計で、遊技店側が１円分の税を負担していることとなる。そこで、税設定Ａ（５％）の場合、別途、遊技中の賞球発生時に賞球から税相当分の遊技球（１球＝４円）を徴収するものである。
【００４６】
図４（ｂ）に示すように、低貸球の貸球価値（１００円＝１００球）設定の税率設定テーブルについても、通常貸球の貸球価値（１００円＝２５球）設定の税率設定テーブルと同様に、税設定として税設定ＡからＨまで記憶しており、税率５％〜１２％を設定することができるようになっている。なお、低貸球の貸球価値は、１球＝１円であるため、税金徴収額と、当該税相当分の遊技球とに差分が生じないため、徴収賞球数は発生しない。
【００４７】
また、入出力Ｉ／Ｆ４１は、ＣＰＵ４０ａから出力される各種の制御信号が入力される。これら制御信号は、該入出力Ｉ／Ｆ４１により中継されて、発射制御基板１５１、払出モータ１０７、外部端子板１０８、エラーナンバー表示ＬＥＤ１０９などに出力される。
【００４８】
さらに、払出制御基板４０は、払出異常時の払出異常ステータス信号、オーバーフローＳＷ１０４の入力によるオーバーフローＳＷ信号、シュート球切れＳＷ１０３の入力によるシュート球切れＳＷ信号が主制御基板３０に送られ、また、後述の貸出ユニット制御基板２３０からの球貸情報を表す信号（ＢＲＤＹ信号、ＢＲＱ信号）がフォトカプラを介して払出制御基板４０に送られるとともに、球貸準備状態を表す信号（ＰＲＤＹ信号、ＥＸＳ信号）が該払出制御基板４０からフォトカプラを介して貸出ユニット制御基板２３０に送られるようになっている。なお、このとき、ＢＲＤＹ信号やＢＲＱ信号等の送受信を行うため、フォトカプラを駆動させる電源電圧（１８Ｖ）を供給するためのＶＬ信号や払出制御基板４０と貸出ユニット制御基板２３０とが接続されているか否かを確認するためのＰＳＩ信号が該払出制御基板４０から貸出ユニット制御基板２３０に送られるようになっている。
【００４９】
ＣＲユニット２００は、遊技媒体の貸出の制御を行う遊技媒体貸出制御手段、遊技者による貸出価値に応じた遊技媒体の貸出要求に基づき、遊技媒体払出制御手段に対して払出要求を行う払出要求手段、遊技者による遊技媒体の貸出要求に基づき、遊技媒体払出制御手段に対して貸出動作開始を指令する貸出動作開始信号を送信する貸出動作開始指令手段、貸出動作開始指令手段による貸出動作開始信号の送信後、所定時間経過後に遊技媒体払出制御手段に対して遊技媒体の払出要求を指令する払出要求信号を送信する払出要求指令手段、及び、貸出動作開始指令手段による貸出動作開始信号の送信から払出要求指令手段による払出要求信号の送信までの送信時間を制御する指令送信制御手段として機能するものであり、その制御系として貸出ユニット制御基板２３０を備えている。貸出ユニット制御基板２３０は、ＣＰＵ２３０ａ、ＲＯＭ２３０ｂ、ＲＡＭ２３０ｃ、入出力インタフェース（入出力Ｉ／Ｆ）２３１等を備えて構成されている。この貸出ユニット制御基板２３０は、払出制御基板４０等から受信したコマンドに基づいて遊技球の貸出制御を行うものである。また、貸出ユニット制御基板２３０は、入出力Ｉ／Ｆ２３１を介して、パチンコ遊技機１００側の球貸ボタン１４２、返却ボタン１４５、また、カードリーダライタ２１０、紙幣識別装置２２０、貸出度数設定ＳＷ２４０、貸球価値設定ＳＷ２５０、貸球価値表示器２６０等からの検出信号が入力されるようになっている。そして、入出力Ｉ／Ｆ２３１は、これらの入力された各種信号を中継し、ＣＰＵ２３０ａに対し出力する。
【００５０】
また、入出力Ｉ／Ｆ２３１は、ＣＰＵ２３０ａから出力される各種の制御信号が入力される。これら制御信号は、該入出力Ｉ／Ｆ２３１により中継されて、パチンコ遊技機１００側の残高表示器１４３、球貸可ＬＥＤ１４４、また、カード利用可ＬＥＤ２０３、カード挿入中ＬＥＤ２０４、紙幣識別装置２２０などに出力される。
【００５１】
貸出度数設定ＳＷ２４０は、貸出ユニット制御基板２３０の裏面に配設されており、遊技店Ｈの係員の操作よって、貸出度数の設定を行うことができるようになっている。
【００５２】
貸球価値設定ＳＷ２５０は、貸出ユニット制御基板２３０の裏面に配設されており、遊技店Ｈの係員の操作によって、貸出価値としての貸球価値（例えば、１００円＝２５球や１００円＝１００球等）を切り換えることができるようになっている。また、当該貸球価値の切り換えにより、予め貸出ユニット制御基板２３０のＲＯＭ２３０ｂに記憶された貸球価値に対応したタイミングテーブルを選択ことができるようになっている。
【００５３】
具体的に、タイミングテーブルは、遊技球の貸し動作を行う際の各種信号の送信タイミングを記憶したものであり、例えば、図７（ａ）に示すように、通常貸球の貸球価値（１００円＝２５球）設定のタイミングテーブルと、（ｂ）に示すように、低貸球の貸球価値（１００円＝１００球）設定のタイミングテーブルと、を備えており、夫々のタイミングテーブルは、「Ｔ０（貸出要求監視時間）」、「Ｔ１（ＢＲＱ要求了解ＡＣＫ監視時間）」、「Ｔ２（貸出指示監視時間）」、「Ｔ３（払出監視時間）」、「Ｔ４（次要求確認タイミング）」及び「ＴＥ（ＣＲユニット貸出完了監視時間）」を記憶している。
【００５４】
「Ｔ０（貸出要求監視時間）」は、遊技球の貸出動作開始指令を行うＢＲＤＹ信号（立下り）を、ＣＲユニット２００側からパチンコ遊技機１００側へ送信した後、遊技球の貸出要求を行うＢＲＱ信号（立下り）を送信するまでの時間である。「Ｔ１（ＢＲＱ要求了解ＡＣＫ監視時間）」は、ＢＲＱ信号（立下り）を、ＣＲユニット２００側からパチンコ遊技機１００側へ送信した後、パチンコ遊技機１００が、当該貸出要求の了解を示すＥＸＳ信号（立下り）を、ＣＲユニット２００側へ送信するまでの時間である。「Ｔ２（貸出指示監視時間）」は、ＥＸＳ信号（立下り）の送信後、遊技球の貸出指示を行うＢＲＱ信号（立ち上がり）を、ＣＲユニット２００側からパチンコ遊技機１００側へ送信するまでの時間である。「Ｔ３（払出監視時間）」は、ＢＲＱ信号（立ち上がり）の送信後、遊技球の貸出完了を報告するＥＸＳ信号（立ち上がり）を、パチンコ遊技機１００からＣＲユニット２００側へ送信するまでの時間である。「Ｔ４（次要求確認タイミング）」は、ＥＸＳ信号（立ち上がり）の送信後、次のＢＲＱ信号（立下り）を、ＣＲユニット２００側からパチンコ遊技機１００側へ送信するまでの時間である。「ＴＥ（ＣＲユニット貸出完了監視時間）」は、ＥＸＳ信号（立ち上がり）の送信後、貸出動作の終了を示すＢＲＤＹ信号（立ち上がり）を、ＣＲユニット２００側からパチンコ遊技機１００側へ送信するまでの時間である。
【００５５】
次に、遊技装置１０００における遊技球の貸出動作を図５，６に示すタイミングチャート図に従って説明する。
【００５６】
まず、図５，６に示すように、遊技者は遊技球を借りる際、パチンコ遊技機１００の球貸ＳＷ１４２を押下する。すると、パチンコ遊技機１００の球貸可ＬＥＤ１４４は、消灯し、プリペイドカード等の返却ＳＷ１４５は無効となる。また、当該押下による所定の出力信号が貸出ユニット制御基板２３０のＣＰＵ２３０ａに対し出力され、貸出ユニット制御基板２３０のＣＰＵ２３０ａは、パチンコ遊技機１００側の払出制御基板４０へＢＲＤＹ信号（立下り）を送信する。そして、このとき、ＣＰＵ２３０ａは、貸球価値設定ＳＷ２５０によって設定された貸球価値に対応したタイミングテーブルを選択し、当該タイミングテーブルに対応した所定時間（Ｔ０）経過後、ＢＲＱ信号（立下り）を送信して、パチンコ遊技機１００側へ遊技球の貸出要求を行う。次いで、パチンコ遊技機１００側から所定時間（Ｔ１）経過後、ＥＸＳ信号（立下り）が送信される。次いで、ＣＰＵ２３０ａは、所定時間（Ｔ２）経過後、ＢＲＱ信号（立ち上がり）を送信して、パチンコ遊技機１００側へ遊技球の貸出指示を行う。次いで、パチンコ遊技機１００側から所定時間（Ｔ３）経過後、ＥＸＳ信号（立ち上がり）が送信される。次いで、ＣＰＵ２３０ａは、所定時間（Ｔ４）経過後、ＢＲＱ信号（立下り）を送信して、パチンコ遊技機１００側へ次（２００円目（２度数目））の遊技球の貸出要求を行う。そして、かかる、各種信号の送受信によって、５００円目（５度数目）の貸出しが完了すると、最後、ＣＰＵ２３０ａは、所定時間（ＴＥ）経過後、ＢＲＤＹ信号（立ち上がり）を送信して、貸出動作を終了する。そして、このとき、パチンコ遊技機１００の球貸可ＬＥＤ１４４は、点灯し、プリペイドカード等の返却ＳＷ１４５は有効となる。
【００５７】
貸球価値表示器２６０は、貸球価値設定ＳＷ２５０に併設されており、遊技店の係員の操作によって設定された貸球価値が視認することができるようになっている。
【００５８】
＜払出制御メイン処理＞
次に、上述した払出制御基板４０による払出制御メイン処理について、図８〜図１５に示すフローチャートに従って説明する。図８は、払出制御基板４０による払出制御メイン処理の概略を示すゼネラルフローチャートであり、パチンコ遊技機１００に電源が投入されたときに開始され、以後所定時間毎に繰り返し実行されるものである。
【００５９】
まず、ステップＳ１において、払出制御基板４０は、ＲＡＭ４０ｃの初期化処理を行うとともに、ＰＲＤＹ信号（球貸準備状態を表す信号）をＯＮ（立下り）に設定し、割り込みタイマの設定を行う。
【００６０】
次いで、ステップＳ２において、払出制御基板４０は、遊技店の係員の操作による税率変更ＳＷ１０５の設定により、所定の税率設定を行う。
【００６１】
次いで、ステップＳ３において、払出制御基板４０は、発射ユニットの発射許可の判定を行う。具体的には、パチンコ遊技機１００とＣＲユニット２００とが電気的に接続された状態であれば発射を許可（発射制御基板１５１に発射許可信号を出力）し、電気的に未接続であれば発射を不許可（発射制御基板１５１への発射許可信号を停止）とする。
なお、パチンコ遊技機１００とＣＲユニット２００とが電気的に接続されたか否かについては、図３に示すように、ＰＳＩ信号の入出力の有無によって判断される。
【００６２】
次いで、ステップＳ４において、払出制御基板４０は、払出過剰エラー（過剰に遊技球を払い出すエラー）の発生と解除を行う。エラーが発生した場合は、新たに払い出し動作を行わず、エラー解除ＳＷ１０２の入力があった場合に、エラーを解除する。
【００６３】
次いで、ステップＳ５において、払出制御基板４０は、賞球払い出し動作の開始条件の判定を行う。具体的には、賞球払い出し動作の開始条件として、例えば、記憶領域の獲得遊技球数の残数の判定、シュート球切れエラーの判定、オーバーフローエラーの判定、払出球検出ＳＷ１０１異常の判定等を行う。
【００６４】
次いで、ステップＳ６において、払出制御基板４０は、球貸払い出し動作の開始条件の判定を行う。具体的には、球貸払い出し動作の開始条件として、貸出ユニット制御基板２３０側から球貸動作開始信号（BRDY信号の立下り）、球貸要求信号（BRQ信号の立下り）を受信するか判定を行う。
【００６５】
次いで、ステップＳ７において、払出制御基板４０は、球貸払い出し動作の制御を行う。具体的には、例えば、球貸準備信号（EXS信号の立下り）の出力データの設定、球貸指令信号（BRQ信号の立上り）を受けて球貸払い出しの開始の設定、球貸完了信号（EXS信号の立上り）の出力データの設定、球貸動作終了信号（BRDY信号の立上り）を受けて球貸制御の終結の設定などを行う。
【００６６】
次いで、ステップＳ８において、払出制御基板４０は、賞球払い出し動作の制御を行う。具体的には、賞球払出数の設定、払出不足数のリトライ動作の制御、賞球制御終結の設定などを行う。
【００６７】
次いで、ステップＳ９において、払出制御基板４０は、払出モータ１０７を制御して貸球又は賞球を払い出す。
【００６８】
次いで、ステップＳ１０において、払出制御基板４０は、シュート球切れエラー、オーバーフローエラー、払出球検出スイッチ異常エラー、払出不足エラー、払出過剰エラー、通信コネクタ未接続エラー、CRユニット未接続エラー、貸球価値不適合エラー等のエラー信号の編集、及びエラー表示の編集を行う。
【００６９】
次いで、ステップＳ２に戻り、ステップＳ１０２以降の処理を繰り返す。
【００７０】
次に、払出制御基板４０によるタイマ割込処理について説明する。図９は、払出制御基板４０によるタイマ割込処理のフローチャートであり、パチンコ遊技機１００に電源が投入されたときに開始され、以後所定時間毎に繰り返し実行されるものである。
【００７１】
まず、ステップＴ１において、払出制御基板４０は、各種処理でセットされた出力データを入出力Ｉ／Ｆ４１に出力する。
【００７２】
次いで、ステップＴ２において、払出制御基板４０は、入出力Ｉ／Ｆ４１の読込の制御を行い、各種ＳＷからの入力信号のチャタリング除去等の処理を行う。
【００７３】
次いで、ステップＴ３において、払出制御基板４０は、タイマの更新を行う。なお、タイマは、払出制御基板４０と貸出ユニット制御基板２３０の間で送受信される払出制御信号（BRQ信号やEXS信号）の送受信時間をカウントしてエラー判定に供するためのものである。
【００７４】
次いで、ステップＴ４において、払出制御基板４０は、遊技球の払い出し要求の監視を行うとともに、賞球払い出し要求の解析やＣＲユニット２００側からの球貸要望の監視を行う。
【００７５】
次いで、ステップＴ５において、払出制御基板４０は、通信コネクタ接続状態、払出球検出ＳＷ１０１の出力、払出球検出ＳＷ異常エラー等の監視を行う。
【００７６】
次いで、ステップＴ６において、払出制御基板４０は、払出モータ１０７の出力データの設定を行う。
【００７７】
次いで、ステップＴ７において、払出制御基板４０は、外部情報の設定を行う。具体的には、例えば、ホールコンピュータ（中央管理装置）へ出力する賞球信号を設定する。
【００７８】
次に、図８に示す払出制御メイン処理のゼネラルフローチャートを詳細に示す払出制御メイン処理を図１０に示すフローチャートに従って説明する。
【００７９】
まず、ステップＳ１１において、払出制御基板４０は、ＲＡＭ４０ｃの初期化処理を行うとともに、ＰＲＤＹ信号（球貸準備状態を表す信号）をＯＮ（立下り）に設定し、割り込みタイマの設定を行う。
【００８０】
次いで、ステップＳ１２において、払出制御基板４０は、遊技店の係員の操作による税率変更ＳＷ１０５の設定により、所定の税率設定を行う。
【００８１】
次いで、ステップＳ１３において、払出制御基板４０は、ＰＳＩ信号の入出力の有無によって、パチンコ遊技機１００とＣＲユニット２００とが電気的に接続されたか否かについて判断し、電気的に接続された状態と判断された場合（ステップＳ１３；Ｙｅｓ）、払出制御基板４０は、発射制御基板１５１に発射許可信号を出力し（ステップＳ１４）、一方、電気的に未接続の状態と判断された場合（ステップＳ１３；Ｎｏ）、発射制御基板１５１への発射許可信号の出力を停止する（ステップＳ１５）。
【００８２】
次いで、ステップＳ１６において、払出制御基板４０は、主制御基板３０から送信された賞球コマンドに対応する賞球の払出球数を、ＲＡＭ４０ｃに記憶する。
【００８３】
次いで、ステップＳ１７において、払出制御基板４０は、払出モータ１０７によって、遊技球の過剰な払出が行われているか否かについて判断し、過剰な払い出しが行われていると判断された場合（ステップＳ１７；Ｙｅｓ）、ステップＳ１３に戻る。一方、過剰な払い出しが行われていないと判断された場合（ステップＳ１７；Ｎｏ）、ステップＳ１８へ移行する。
【００８４】
次いで、ステップＳ１８において、払出制御基板４０は、貸出ユニット制御基板２３０側から球貸動作開始信号（BRDY信号の立下り）及び球貸要求信号（BRQ信号の立下り）を受信したか否かについて判断し、球貸動作開始信号及び球貸要求信号を受信したと判断した場合（ステップＳ１８；Ｙｅｓ）、ステップＳ１９へ移行する。
【００８５】
次いで、ステップＳ１９において、払出制御基板４０は、貸出ユニット制御基板２３０側から球貸動作開始信号（BRDY信号の立下り）を受信し、その後、球貸要求信号（BRQ信号の立下り）を受信した時間（Ｔ０）から、遊技球の貸球価値を確認する。
【００８６】
次いで、ステップＳ２０において、払出制御基板４０は、払出モータ１０７を作動させて、球貸払い出し動作の制御を行い、ステップＳ１３へ戻る。
【００８７】
一方、ステップＳ１８において、払出制御基板４０は、球貸動作開始信号及び球貸要求信号を受信していないと判断した場合（ステップＳ１８；Ｎｏ）、ステップＳ２１へ移行する。
【００８８】
次いで、ステップＳ２１において、払出制御基板４０は、ＲＡＭ４０ｃに記憶された払出球数分の遊技球が払い出されたか否かについて判断し、ＲＡＭ４０ｃに記憶された払出球数分の遊技球が払い出されたと判断された場合（ステップＳ２１；Ｙｅｓ）、ステップＳ１３へ戻る。一方、ＲＡＭ４０ｃに記憶された払出球数分の遊技球が払い出されていないと判断された場合（ステップＳ２１；Ｎｏ）、ステップＳ２２へ移行する。
【００８９】
次いで、ステップＳ２２において、払出制御基板４０は、シュート球切れＳＷ１０３が「ＯＮ」の状態であるか否かについて判断し、シュート球切れＳＷ１０３が「ＯＮ」の状態であると判断された場合（ステップＳ２２；Ｙｅｓ）、ステップＳ１３へ戻る。一方、シュート球切れＳＷ１０３が「ＯＮ」の状態ではないと判断された場合（ステップＳ２２；Ｎｏ）、ステップＳ２３へ移行する。
【００９０】
次いで、ステップＳ２３において、払出制御基板４０は、オーバーフローＳＷ１０４が「ＯＮ」の状態であるか否かについて判断し、オーバーフローＳＷ１０４が「ＯＮ」の状態であると判断された場合（ステップＳ２３；Ｙｅｓ）、ステップＳ１３へ戻る。一方、オーバーフローＳＷ１０４が「ＯＮ」の状態ではないと判断された場合（ステップＳ２３；Ｎｏ）、ステップＳ２４へ移行する。
【００９１】
次いで、ステップＳ２４において、払出制御基板４０は、払出球検出ＳＷ１０１が「ＯＮ」の状態であるか否かについて判断し、払出球検出ＳＷ１０１が「ＯＮ」の状態であると判断された場合（ステップＳ２４；Ｙｅｓ）、ステップＳ１３へ戻る。一方、払出球検出ＳＷ１０１が「ＯＮ」の状態ではないと判断された場合（ステップＳ２４；Ｎｏ）、ステップＳ２５へ移行する。
【００９２】
次いで、ステップＳ２５において、払出制御基板４０は、賞球制御処理を行い、ステップＳ１３へ戻る。
【００９３】
＜税率設定処理＞
次に、図１０のフローチャートのステップＳ１２に示す税率設定処理について、図１１に示すフローチャートに従って詳述する。
【００９４】
まず、ステップＳ１０１において、払出制御基板４０は、税率変更ＳＷ１０５が「ＯＮ」状態であるか否かを判断し、税率変更ＳＷ１０５が「ＯＮ」状態であると判断された場合（ステップＳ１０１；Ｙｅｓ）、ステップＳ１０２へ移行する。一方、税率変更ＳＷ１０５が「ＯＮ」状態でないと判断された場合（ステップＳ１０１；Ｎｏ）、本処理を終了して、払出制御メイン処理へ戻る。
【００９５】
次いで、ステップＳ１０２において、払出制御基板４０は、税率設定テーブルから所定の税率設定値をセットし、本処理を終了して、払出制御メイン処理へ戻る。なお、この時点では、まだ、通常貸球の貸球価値（１００円＝２５球）設定の税率設定テーブルと、低貸球の貸球価値（１００円＝１００球）設定の税率設定テーブルとのいずれであるかは設定されていない。
【００９６】
＜貸球価値確認処理＞
次に、図１０のフローチャートのステップＳ１９に示す貸球価値確認処理について、図１２に示すフローチャートに従って詳述する。
【００９７】
まず、ステップＵ１において、払出制御基板４０は、タイマに、貸球設定値１(貸球価値が１００円＝２５球の場合）に対応する時間Ｔ０（３０msec〜５０msec）をセットする。
【００９８】
次いで、ステップＵ２において、払出制御基板４０は、球貸要求信号（ＢＲＱ信号（立下り））を当該Ｔ０時間内に受信したか否かを判断し、球貸要求信号（ＢＲＱ信号（立下り））を当該Ｔ０時間内に受信したと判断した場合（ステップＵ２；Ｙｅｓ）、ステップＵ３へ移行する。
【００９９】
次いで、ステップＵ３において、払出制御基板４０は、貸球設定値１をセットする。
【０１００】
次いで、ステップＵ４において、払出制御基板４０は、セットされた所定の税率設定値を読み出す。
【０１０１】
次いで、ステップＵ５において、払出制御基板４０は、セットされた貸球設定値に基づき、所定の税率設定テーブルを選択し、本処理を終了して、払出制御メイン処理へ戻る。
【０１０２】
一方、ステップＵ２において、払出制御基板４０は、球貸要求信号（ＢＲＱ信号（立下り））を当該Ｔ０時間内に受信しないと判断した場合（ステップＵ２；Ｎｏ）、ステップＵ６へ移行する。
【０１０３】
次いで、ステップＵ６において、払出制御基板４０は、タイマに、貸球設定値２(貸球価値が１００円＝１００球の場合)に対応する時間Ｔ０（６０msec〜１００msec）をセットする。
【０１０４】
次いで、ステップＵ７において、払出制御基板４０は、球貸要求信号（ＢＲＱ信号（立下り））を当該Ｔ０時間内に受信したか否かを判断し、球貸要求信号（ＢＲＱ信号（立下り））を当該Ｔ０時間内に受信したと判断した場合（ステップＵ７；Ｙｅｓ）、ステップＵ８へ移行する。
【０１０５】
次いで、ステップＵ８において、払出制御基板４０は、貸球設定値２をセットして、ステップＵ４へ移行する。
【０１０６】
一方、ステップＵ６において、払出制御基板４０は、球貸要求信号（ＢＲＱ信号（立下り））を当該Ｔ０時間内に受信しないと判断した場合（ステップＵ２；Ｎｏ）、ステップＵ９へ移行する。
【０１０７】
次いで、ステップＵ９において、払出制御基板４０は、球貸可能信号出力を停止し、本処理を終了して、払出制御メイン処理へ戻る。
【０１０８】
＜球貸制御処理＞
次に、図１０のフローチャートのステップＳ２０に示す球貸制御処理について、図１３，１４に示すフローチャートに従って詳述する。
【０１０９】
まず、ステップＵ１１において、払出制御基板４０は、貸出ユニット制御基板２３０に対して、球貸準備信号（ＥＸＳ信号（立下り））を出力する。
【０１１０】
次いで、ステップＵ１２において、払出制御基板４０は、タイマに、所定の貸球価値に基づく時間Ｔ２をセットする。
【０１１１】
次いで、ステップＵ１３において、払出制御基板４０は、球貸指令信号（ＢＲＱ信号（立ち上がり））を当該Ｔ２時間内に受信したか否かを判断し、球貸指令信号（ＢＲＱ信号（立ち上がり））を当該Ｔ２時間内に受信したと判断した場合（ステップＵ１３；Ｙｅｓ）、ステップＵ１４へ移行する。一方、ステップＵ１３において、払出制御基板４０は、球貸指令信号（ＢＲＱ信号（立ち上がり））を当該Ｔ２時間内に受信していないと判断した場合（ステップＵ１３；Ｎｏ）、ステップＵ１５へ移行し、所定のエラー表示及び球貸可能信号出力を停止し、本処理を終了して、払出制御メイン処理へ戻る。
【０１１２】
次いで、ステップＵ１４において、払出制御基板４０は、選択された所定の税率設定テーブルに基づき、遊技球の払出しを行う。
【０１１３】
次いで、ステップＵ１６において、払出制御基板４０は、所定の税率設定テーブルに基づき、一の度数における所定数の遊技球の払出しが終了したか否かを判断し、所定数の遊技球の払出しが終了したと判断した場合（ステップＵ１６；Ｙｅｓ）、ステップＵ２２へ移行する。
【０１１４】
一方、ステップＵ１６において、払出制御基板４０は、所定数の遊技球の払出しが終了していないと判断した場合（ステップＵ１６；Ｎｏ）、ステップＵ１７へ移行する。
【０１１５】
次いで、ステップＵ１７において、払出制御基板４０は、遊技球払出しのリトライ回数を設定する。
【０１１６】
次いで、ステップＵ１８において、払出制御基板４０は、遊技球払出しの動作を行う。
【０１１７】
次いで、ステップＵ１９において、払出制御基板４０は、不足分の遊技球が払出されたか否かを確認し、不足分の遊技球が払出されたと判断された場合（ステップＵ１９；Ｙｅｓ）、ステップＵ２２へ移行する。
【０１１８】
一方、ステップＵ１９において、払出制御基板４０は、不足分の遊技球が払出されていないと判断した場合（ステップＵ１９；Ｎｏ）、ステップＵ２０へ移行する。
【０１１９】
そして、ステップＵ２０において、払出制御基板４０は、設定された回数の払出しの動作が行われたか否かを判断し、設定された回数の払出しの動作が行われたと判断した場合（ステップＵ２０；Ｙｅｓ）、ステップＵ２１へ移行する。一方、ステップＵ２０において、払出制御基板４０は、設定された回数の払出しの動作が行われていないと判断した場合（ステップＵ２０；Ｎｏ）、ステップＵ１８へ戻る。
【０１２０】
次いで、ステップＵ２１において、払出制御基板４０は、払出しの動作を停止し、所定のエラー報知を行い、本処理を終了して、払出制御メイン処理へ戻る。
【０１２１】
次いで、ステップＵ２２において、払出制御基板４０は、球貸完了信号（ＥＸＳ信号（立ち上がり））を出力する。
【０１２２】
次いで、ステップＵ２３において、払出制御基板４０は、タイマに、所定の貸球価値に基づく時間Ｔ４をセットする。
【０１２３】
次いで、ステップＵ２４において、払出制御基板４０は、タイマに、所定の貸球価値に基づく時間ＴＥをセットする。
【０１２４】
次いで、ステップＵ２５において、払出制御基板４０は、球貸要求信号（ＢＲＱ信号（立下り））をＴ４時間内に受信したか否かを判断し、球貸要求信号（ＢＲＱ信号（立下り））をＴ４時間内に受信したと判断した場合（ステップＵ２５；Ｙｅｓ）、ステップＵ１１へ戻る。
【０１２５】
一方、ステップＵ２５において、払出制御基板４０は、球貸要求信号（ＢＲＱ信号（立下り））をＴ４時間内に受信していないと判断した場合（ステップＵ２５；Ｎｏ）、ステップＵ２６へ移行する。
【０１２６】
次いで、ステップＵ２６において、払出制御基板４０は、球貸動作終了信号（ＢＲＤＹ信号（立ち上がり））をＴＥ時間内に受信したか否かを判断し、球貸動作終了信号（ＢＲＤＹ信号（立ち上がり））をＴＥ時間内に受信したと判断した場合（ステップＵ２６；Ｙｅｓ）、ステップＵ２７へ移行する。  
【０１２７】
次いで、ステップＵ２７において、選択された所定の税率設定テーブルから徴収賞球数情報を抽出するとともに、当該徴収賞球数情報を記憶し、本処理を終了して、払出制御メイン処理へ戻る。
【０１２８】
一方、ステップＵ２６において、払出制御基板４０は、球貸動作終了信号（ＢＲＤＹ信号（立ち上がり））をＴＥ時間内に受信していないと判断した場合（ステップＵ２６；Ｎｏ）、ステップＵ２８へ移行する。
【０１２９】
次いで、ステップＵ２８において、所定のエラー表示及び球貸可能信号出力を停止し、本処理を終了して、払出制御メイン処理へ戻る。
【０１３０】
＜賞球制御処理＞
次に、図１０のフローチャートのステップＵ２５に示す賞球制御処理について、図１５に示すフローチャートに従って詳述する。
【０１３１】
まず、ステップＵ１０１において、払出制御基板４０は、記憶されている徴収賞球数情報を読み出す。
【０１３２】
次いで、ステップＵ１０２において、払出制御基板４０は、徴収賞球数情報の有無を判断し、徴収賞球数情報があると判断した場合（ステップＵ１０２；Ｙｅｓ）、ステップＵ１０３へ移行する。
【０１３３】
一方、ステップＵ１０２において、払出制御基板４０は、徴収賞球数情報がないと判断した場合（ステップＵ１０２；Ｎｏ）、ステップＵ１０４へ移行する。
【０１３４】
次いで、ステップＵ１０３において、払出制御基板４０は、読み出された徴収賞球数情報に基づいて、賞球払出数から徴収賞球数を減算する。
【０１３５】
次いで、ステップＵ１０４において、払出制御基板４０は、徴収賞球数情報をクリアする。
【０１３６】
次いで、ステップＵ１０５において、払出制御基板４０は、遊技球の賞球払出しを行う。
【０１３７】
次いで、ステップＵ１０６において、払出制御基板４０は、入賞により獲得した総獲得数分の払出しが行われたか否かを判断し、総獲得数分の払出しが行われたと判断した場合（ステップＵ１０６；Ｙｅｓ）、本処理を終了して、払出制御メイン処理へ戻る。
【０１３８】
一方、ステップＵ１０６において、払出制御基板４０は、総獲得数分の払出しが行われていないと判断した場合（ステップＵ１０６；Ｎｏ）、ステップＵ１０７へ移行する。
【０１３９】
次いで、ステップＵ１０７において、払出制御基板４０は、遊技球払出しのリトライ回数を設定する。
【０１４０】
次いで、ステップＵ１０８において、払出制御基板４０は、遊技球払出しの動作を行う。
【０１４１】
次いで、ステップＵ１０９において、払出制御基板４０は、不足分の遊技球が払出されたか否かを確認し、不足分の遊技球が払出されたと判断された場合（ステップＵ１０９；Ｙｅｓ）、本処理を終了して、払出制御メイン処理へ戻る。
【０１４２】
一方、ステップＵ１０９において、払出制御基板４０は、不足分の遊技球が払出されていないと判断した場合（ステップＵ１０９；Ｎｏ）、ステップＵ１１０へ移行する。
【０１４３】
そして、ステップＵ１１０において、払出制御基板４０は、設定された回数の払出しの動作が行われたか否かを判断し、設定された回数の払出しの動作が行われたと判断した場合（ステップＵ１１０；Ｙｅｓ）、ステップＵ１１１へ移行する。一方、ステップＵ１１０において、払出制御基板４０は、設定された回数の払出しの動作が行われていないと判断した場合（ステップＵ１１０；Ｎｏ）、ステップＵ１０８へ戻る。
【０１４４】
次いで、ステップＵ１１１において、払出制御基板４０は、払出しの動作を停止し、所定のエラー報知を行い、本処理を終了して、払出制御メイン処理へ戻る。
【０１４５】
＜カード制御処理＞
次に、上述したＣＲユニット２００の貸出ユニット制御基板２３０によるカード制御処理について、図１６〜図１８に示すフローチャートに従って説明する。
【０１４６】
まず、ステップＷ１において、ＣＲユニット２００に電源が投入されると、貸出ユニット制御基板２３０は、貸出ユニット制御基板２３０に設定されている貸出額を読み出す。
【０１４７】
次いで、ステップＷ２において、貸出ユニット制御基板２３０は、貸出ユニット制御基板２３０に設定されている貸球価値を読み出す。
【０１４８】
次いで、ステップＷ３において、貸出ユニット制御基板２３０は、カードを利用することが可能であることを示すカード利用可ＬＥＤ２０３を点灯させる。
【０１４９】
次いで、ステップＷ４において、貸出ユニット制御基板２３０は、カードリーダライタ２１０からのカード受付信号の有無を判断し、カード受付信号があると判断した場合（ステップＷ４；Ｙｅｓ）、ステップＷ５へ移行する。
【０１５０】
一方、ステップＷ４において、貸出ユニット制御基板２３０は、カード受付信号がないと判断した場合（ステップＷ４；Ｎｏ）、ステップＷ６へ移行する。
【０１５１】
次いで、ステップＷ６において、貸出ユニット制御基板２３０は、カード異常信号の有無を判断し、カード異常信号があると判断した場合（ステップＷ６；Ｙｅｓ）、ステップＷ７へ移行する。一方、カード異常信号がないと判断した場合（ステップＷ６；Ｎｏ）、ステップＷ４へ移行する。
【０１５２】
次いで、ステップＷ７において、貸出ユニット制御基板２３０は、カード異常原因をパチンコ遊技機１００の残高表示器１４３にコード表示させる。
【０１５３】
次いで、ステップＷ８において、貸出ユニット制御基板２３０は、カード利用可ＬＥＤ２０３を点滅させ、ステップＷ４へ戻る。
【０１５４】
次いで、ステップＷ５において、貸出ユニット制御基板２３０は、カードリーダライタ２１０に挿入されたカードのカード情報を照合する。
【０１５５】
次いで、ステップＷ９において、貸出ユニット制御基板２３０は、カード情報を照合することができたか否かを判断し、カード情報を照合することができたと判断した場合（ステップＷ９；Ｙｅｓ）、ステップＷ１１へ移行する。一方、カード情報を照合することができないと判断した場合（ステップＷ９；Ｎｏ）、ステップＷ１０へ移行して、貸出ユニット制御基板２３０は、カードの返却を行い、ステップＷ４へ移行する。
【０１５６】
次いで、ステップＷ１１において、貸出ユニット制御基板２３０は、カード挿入中ＬＥＤ２０４、また、パチンコ遊技機１００の球貸可ＬＥＤ１４４を点灯させるとともに、現在のカード残高をパチンコ遊技機１００の残高表示器１４３に表示させる。
【０１５７】
次いで、ステップＷ１２において、貸出ユニット制御基板２３０は、パチンコ遊技機１００の球貸ＳＷ１４２からの「ＯＮ」信号の有無を判断し、球貸ＳＷ１４２からの「ＯＮ」信号があると判断した場合（ステップＷ１２；Ｙｅｓ）、ステップＷ１３へ移行する。一方、球貸ＳＷ１４２からの「ＯＮ」信号がないと判断した場合（ステップＷ１２；Ｎｏ）、ステップＷ１４へ移行する。
【０１５８】
次いで、ステップＷ１４において、貸出ユニット制御基板２３０は、パチンコ遊技機１００の返却ＳＷ１４５からの「ＯＮ」信号の有無を判断し、返却ＳＷ１４５からの「ＯＮ」信号があると判断した場合（ステップＷ１４；Ｙｅｓ）、ステップＷ１５へ移行する。一方、返却ＳＷ１４５からの「ＯＮ」信号がないと判断した場合（ステップＷ１４；Ｎｏ）、ステップＷ１２へ移行する。
【０１５９】
次いで、ステップＷ１５において、貸出ユニット制御基板２３０は、パチンコ遊技機１００の球貸可ＬＥＤ１４４を消灯させる。
【０１６０】
次いで、ステップＷ１６において、貸出ユニット制御基板２３０は、球貸要求信号の出力を停止するともに、貸出額をクリアする。
【０１６１】
次いで、ステップＷ１７において、貸出ユニット制御基板２３０は、カードリーダライタ２１０に残額書込信号及びカード排出信号を出力して、ステップＷ３９へ移行する。
【０１６２】
次いで、ステップＷ１３において、貸出ユニット制御基板２３０は、パチンコ遊技機１００の球貸可ＬＥＤ１４４を消灯させる。
【０１６３】
次いで、ステップＷ１８において、貸出ユニット制御基板２３０は、球貸動作開始信号（ＢＲＤＹ信号（立下り））を出力する。
【０１６４】
次いで、ステップＷ１９において、貸出ユニット制御基板２３０は、タイマにステップＷ２において読み出した貸球価値に対応する貸出要求監視時間Ｔ０をセットする。
例えば、貸球価値が、通常貸球の貸球価値（１００円＝２５球）である場合には、貸球要求監視時間に貸球設定値１に対応する時間Ｔ０（３０msec〜５０msec）を設定し、低貸球の貸球価値（１００円＝１００球）である場合には、貸球要求監視時間に貸球設定値２に対応する時間Ｔ０（６０msec〜１００msec）を設定する。
【０１６５】
次いで、ステップＷ２０において、貸出ユニット制御基板２３０は、Ｔ０時間内に球貸可能信号（ＰＲＤＹ信号）に変化があったか否かを判断し、球貸可能信号（ＰＲＤＹ信号）に変化があったと判断した場合（ステップＷ２０；Ｙｅｓ）、ステップＷ２２へ移行する。
【０１６６】
一方、ステップＷ２０において、貸出ユニット制御基板２３０は、球貸可能信号（ＰＲＤＹ信号）に変化がないと判断した場合（ステップＷ２０；Ｎｏ）、ステップＷ２１へ移行する。
【０１６７】
次いで、ステップＷ２１において、貸出ユニット制御基板２３０は、Ｔ０時間内に球貸準備信号（ＥＸＳ信号）に変化があったか否かを判断し、球貸準備信号（ＥＸＳ信号）に変化があったと判断した場合（ステップＷ２１；Ｙｅｓ）、ステップＷ２２へ移行する。
【０１６８】
次いで、ステップＷ２２において、貸出ユニット制御基板２３０は、球貸動作開始信号の出力を停止して、ステップＷ７に移行する。
【０１６９】
一方、ステップＷ２１において、貸出ユニット制御基板２３０は、球貸準備信号（ＥＸＳ信号）に変化がないと判断した場合（ステップＷ２１；Ｎｏ）、ステップＷ２３へ移行する。
【０１７０】
次いで、ステップＷ２３において、貸出ユニット制御基板２３０は、ステップＷ１９において設定した貸出要求監視時間Ｔ０の終了後、球貸要求信号（ＢＲＱ信号（立下り））を出力する。
これにより、払出制御基板４０は、貸球価値設定ＳＷ２５０の操作によって設定された貸球価値が貸球設定値１（通常貸球の貸球価値）に対応するものであるのか、または、貸球設定値２（低貸球の貸球価値）に対応するものであるのか把握することが可能となる。
なお、球貸要求信号（ＢＲＱ信号（立下り））の送信タイミングはこれに限らず、貸球価値に応じて貸出要求監視時間の開始後、各々異なる所定時間の経過後に送信するようにしても良い。例えば、貸球価値が貸球設定値１である場合には、４０msec経過後、貸球設定値２である場合には、８０msec経過後としても良い。
【０１７１】
次いで、ステップＷ２４において、貸出ユニット制御基板２３０は、タイマにＢＲＱ要求了解ＡＣＫ監視時間Ｔ１をセットする。
【０１７２】
次いで、ステップＷ２５において、貸出ユニット制御基板２３０は、Ｔ１時間内に球貸準備信号（ＥＸＳ信号（立下り））を受信したか否かを判断し、球貸準備信号（ＥＸＳ信号（立下り））を受信したと判断した場合（ステップＷ２５；Ｙｅｓ）、ステップＷ２６へ移行する。
【０１７３】
一方、ステップＷ２５において、貸出ユニット制御基板２３０は、Ｔ１時間内に球貸準備信号（ＥＸＳ信号（立下り））を受信しないと判断した場合（ステップＷ２５；Ｎｏ）、ステップＷ２７へ移行する。そして、ステップＷ２７において、貸出ユニット制御基板２３０は、球貸要求信号の出力を停止するとともに、貸出額をクリアして、ステップＷ１２へ移行する。
【０１７４】
次いで、ステップＷ２６において、貸出ユニット制御基板２３０は、タイマに貸出指示監視時間Ｔ２をセットする。
【０１７５】
次いで、ステップＷ２８において、貸出ユニット制御基板２３０は、Ｔ２時間内に球貸準備信号（ＥＸＳ信号）に変化があったか否かを判断し、球貸準備信号（ＥＸＳ信号）に変化があったと判断した場合（ステップＷ２８；Ｙｅｓ）、ステップＷ２９へ移行する。
【０１７６】
次いで、ステップＷ２９において、貸出ユニット制御基板２３０は、球貸動作開始信号の出力を停止するとともに、貸出額をクリアして、ステップＷ１２へ移行する。
【０１７７】
一方、ステップＷ２８において、貸出ユニット制御基板２３０は、球貸準備信号（ＥＸＳ信号）に変化がないと判断した場合（ステップＷ２８；Ｎｏ）、ステップＷ３０へ移行する。
【０１７８】
次いで、ステップＷ３０において、貸出ユニット制御基板２３０は、球貸指令信号（ＢＲＱ信号（立ち上がり））を出力する。
【０１７９】
次いで、ステップＷ３１において、貸出ユニット制御基板２３０は、現在のカード残高から単位額を減算するとともに、貸出額から単位額を減算する。
【０１８０】
次いで、ステップＷ３２において、貸出ユニット制御基板２３０は、カード管理装置（図示省略）に単位額売上情報を出力する。
【０１８１】
次いで、ステップＷ３３において、貸出ユニット制御基板２３０は、ホールコンピュータ（図示省略）に単位額売上情報を出力する。
【０１８２】
次いで、ステップＷ３４において、貸出ユニット制御基板２３０は、タイマに払出監視時間Ｔ３をセットする。
【０１８３】
次いで、ステップＷ３５において、貸出ユニット制御基板２３０は、Ｔ３時間内に球貸完了信号（ＥＸＳ信号（立ち上がり））を受信したか否かを判断し、球貸完了信号（ＥＸＳ信号（立ち上がり））を受信したと判断した場合（ステップＷ３５；Ｙｅｓ）、ステップＷ３６へ移行する。
【０１８４】
一方、ステップＷ３５において、貸出ユニット制御基板２３０は、Ｔ３時間内に球貸完了信号（ＥＸＳ信号（立ち上がり））を受信しないと判断した場合（ステップＷ３５；Ｎｏ）、ステップＷ３７へ移行する。そして、ステップＷ３７において、貸出ユニット制御基板２３０は、カード利用可ＬＥＤ２０３を消灯して、ステップＷ１６へ移行する。
【０１８５】
次いで、ステップＷ３６において、貸出ユニット制御基板２３０は、貸出額が０円になった否かを判断し、貸出額が０円になったと判断した場合（ステップＷ３６；Ｙｅｓ）、ステップＷ３８へ移行する。一方、貸出額が０円になっていないと判断した場合（ステップＷ３６；Ｎｏ）、ステップＷ２３へ移行する。
【０１８６】
次いで、ステップＷ３８において、貸出ユニット制御基板２３０は、球貸可ＬＥＤ１４４を点灯させる。
【０１８７】
次いで、ステップＷ３９において、貸出ユニット制御基板２３０は、タイマにＣＲユニット貸出完了監視時間ＴＥをセットする。
【０１８８】
次いで、ステップＷ４０において、貸出ユニット制御基板２３０は、ＴＥ時間内にカードリーダライタ２１０から球貸動作終了信号（ＢＲＤＹ信号（立ち上がり））を受信したか否かを判断し、球貸動作終了信号（ＢＲＤＹ信号（立ち上がり））を受信したと判断した場合（ステップＷ４０；Ｙｅｓ）、ステップＷ４１へ移行する。
【０１８９】
一方、ステップＷ４０において、貸出ユニット制御基板２３０は、ＴＥ時間内に球貸動作終了信号（ＢＲＤＹ信号（立ち上がり））を受信しないと判断した場合（ステップＷ４０；Ｎｏ）、ステップＷ４２へ移行する。そして、ステップＷ４２において、貸出ユニット制御基板２３０は、カード異常原因を残高表示器１４３にコード表示するとともに、カード利用可ＬＥＤ２０３を点滅させて、ステップＷ４へ移行する。
【０１９０】
次いで、ステップＷ４１において、貸出ユニット制御基板２３０は、球貸可ＬＥＤ１４４を点灯させる。
【０１９１】
次いで、ステップＷ４３において、貸出ユニット制御基板２３０は、貸出異常の生むを判断し、異常があると判断した場合（ステップＷ４３；Ｙｅｓ）、ステップＷ４４へ移行する。一方、貸出異常がないと判断した場合（ステップＷ４３；Ｎｏ）、ステップＷ４へ移行する。
【０１９２】
ステップＷ４４において、貸出ユニット制御基板２３０は、球貸可能信号を受信したか否かを判断し、球貸可能信号を受信したと判断した場合（ステップＷ４４；Ｙｅｓ）、ステップＷ３へ移行する。一方、球貸可能信号を受信していないと判断した場合（ステップＷ４４；Ｎｏ）、ステップＷ４４へ戻る。
【０１９３】
以上のような遊技装置１０００は、払出制御基板４０によって、所定有価価値分の遊技媒体の払出数を変更されて設定された該遊技媒体の払出数から租税相当分の遊技媒体数を演算するとともに、該演算の結果に基づき租税相当分の遊技媒体数の遊技媒体を徴収することができる。
従って、所定有価価値分の遊技媒体の払出数を設定変更することができるとともに、設定変更された払出数から租税相当分の遊技媒体数を演算して、該演算の結果に基づき租税相当分の遊技媒体を徴収することができることとなり、遊技媒体の徴収により、適切に税金を徴収することができる。また、遊技装置１台で、遊技媒体の払出、払出しに要する遊技媒体の払出数の設定変更及び租税相当分の遊技媒体の徴収と３役をこなすことができることとなり、設備投資等の負担を好適に削減することができる。
【０１９４】
また、払出制御基板４０によって、払出しに要する遊技媒体の貸出価値を設定変更するので、所定有価価値分の遊技媒体の払出数を好適に設定することができるので、価値基準を一見して容易に把握することができるようになり、所定有価価値分の遊技媒体の払出数を好適に設定することができる。
【０１９５】
また、払出制御基板４０によって、１回の貸出制御に基づき、最小単位の有価価値ごとに所定回数、遊技媒体を払い出す制御を行うことができ、払出制御基板４０は、払出制御基板４０によって払い出される最小単位の有価価値分の遊技媒体の払出数を設定することができるので、遊技媒体の貸出が少量の遊技客に対しても、遊技媒体の払出数を好適に設定することができる。
【０１９６】
また、払出制御基板４０によって、払出制御基板４０によって設定された最小単位の有価価値分の遊技媒体の払出数から租税相当分の遊技媒体数を演算することができるので、遊技媒体の貸出が少量の遊技客に対しても、租税相当分の遊技媒体を好適に徴収することができる。
【０１９７】
また、払出制御基板４０によって、払出しに要する遊技媒体の貸出価値に応じて租税相当分の遊技媒体数を異ならせることができる。
【０１９８】
また、ＣＲユニット２００は、遊技媒体の貸出の制御を行う貸出ユニット制御基板２３０を備え、貸出ユニット制御基板２３０は、貸出ユニット制御基板２３０によって、遊技者による貸出価値に応じた遊技媒体の貸出要求に基づき、払出制御基板４０に対して払出要求を行うことができ、払出制御基板４０によって、貸出ユニット制御基板２３０からの払出要求に基づき、払出制御基板４０によって払い出される最小単位の有価価値分の遊技媒体の払出数を設定することができる。
従って、遊技媒体の貸出の段階で、遊技媒体払出数設定手段によって設定された最小単位の有価価値分の遊技媒体の払出数を設定することができることとなり、遊技媒体の貸出が少量の遊技客に対しても、租税相当分の遊技媒体を事前に徴収することができる。
【０１９９】
また、貸出ユニット制御基板２３０は、遊技者による遊技媒体の貸出要求に基づき、払出制御基板４０に対して貸出動作開始を指令する貸出動作開始信号を送信することができ、貸出ユニット制御基板２３０によって、貸出動作開始信号の送信後、所定時間経過後に払出制御基板４０に対して遊技媒体の払出要求を指令する払出要求信号を送信することができ、貸出ユニット制御基板２３０によって、貸出動作開始信号の送信から払出要求信号の送信までの送信時間を制御することができ、遊技媒体の貸出価値に応じて前記送信時間を異ならせることができる。
従って、送信時間を異ならせることによって、遊技媒体の貸出価値を設定変更することができることとなり、当該設定変更処理の負担を好適に軽減することができる。
【０２００】
また、払出制御基板４０によって、貸出ユニット制御基板２３０により制御される送信時間に応じて、遊技媒体の貸出価値を設定することにより、払出制御基板４０へ払出数設定指令を行い、所定有価価値分の遊技媒体の払出数を設定することができることとなり、当該設定変更処理の負担を好適に軽減することができる。
【０２０１】
また、払出制御基板４０によって、払出制御基板４０から指令される払出数設定指令に基づき遊技媒体の払出数を設定することができ、払出制御基板４０によって、予め設定された租税率を読み出し、該租税率に応じて払出制御基板４０によって設定された払出数から租税相当分の遊技媒体を徴収することができるので、税率の変更に対しても好適に対処することができ、租税相当分の遊技媒体を好適に徴収することができることとなり、より適切に税金を徴収することができる。
【０２０２】
また、払出制御基板４０による最小単位の有価価値分の払出数から租税相当分の遊技媒体数を演算し、該演算による遊技媒体数に基づく徴収租税額と法定租税額との間に乖離が発生した場合は、払出制御基板４０によって、所定回数の遊技媒体の払出のうち最終の最小単位の有価価値分の払出数から乖離分の遊技媒体数を減算することができるので、より適切に税金を徴収することができる。
【０２０３】
また、当該遊技装置１０００は、所定の遊技を実行可能に構成され、払出制御基板４０によって、遊技の結果に基づいて賞として付与される遊技媒体の払出の制御を実行することができ、払出制御基板４０によって、所定回数の遊技媒体の払出のうち最終の最小単位の有価価値分の払出数から乖離分の遊技媒体数を減算してもまだ遊技店側に租税負担が生じている場合（前記徴収租税額が前記法定租税額に満たない場合）は、不足租税相当分の遊技媒体を前記賞として付与される遊技媒体から徴収することができるので、遊技店側の租税負担を好適に抑制するとともに、より適切に税金を徴収することができる。
【０２０４】
＜変形例＞
次に、この発明の賞球制御処理についての変形例について、図２０に示すフローチャートに従って説明する。
【０２０５】
まず、ステップＷ１０１において、払出制御基板４０は、記憶されている徴収賞球数情報を読み出す。
【０２０６】
次いで、ステップＷ１０２において、払出制御基板４０は、徴収賞球数情報の有無を判断し、徴収賞球数情報があると判断した場合（ステップＷ１０２；Ｙｅｓ）、ステップＷ１０３へ移行する。
【０２０７】
一方、ステップＷ１０２において、払出制御基板４０は、徴収賞球数情報がないと判断した場合（ステップＷ１０２；Ｎｏ）、ステップＷ１０４へ移行する。
【０２０８】
次いで、ステップＷ１０３において、払出制御基板４０は、遊技球が入賞口に入賞した際に抽出された乱数値が当りか否かを判断し、当りであると判断した場合（ステップＷ１０３；Ｙｅｓ）、ステップＷ１０４へ移行する。一方、当りでないと判断した場合（ステップＷ１０３；Ｎｏ）、ステップＷ１０５へ移行する。
【０２０９】
次いで、ステップＷ１０５において、払出制御基板４０は、読み出された徴収賞球数情報に基づいて、賞球払出数から徴収賞球数を減算して、ステップＷ１０４へ移行する。
このステップＷ１０２、１０３、１０５の処理により、租税相当分の遊技媒体を賞として付与される遊技媒体から徴収するかしなか抽選することができることとなる。これにより、遊技者全てに対して租税相当分の遊技媒体を賞として付与される遊技媒体から徴収しなくする場合に比べて、遊技店が負担する租税額を少なくすることができ、遊技店と遊技者の利益のバランスを保つことができる。また、例えば、遊技店が「税率還元祭」というようなイベントを実施することが可能となり、遊技店の集客イベントに寄与することができる。
【０２１０】
次いで、ステップＷ１０４において、払出制御基板４０は、徴収賞球数情報をクリアする。
【０２１１】
次いで、ステップＷ１０６において、払出制御基板４０は、遊技球の賞球払出しを行う。
【０２１２】
次いで、ステップＷ１０７において、払出制御基板４０は、入賞により獲得した総獲得数分の払出しが行われたか否かを判断し、総獲得数分の払出しが行われたと判断した場合（ステップＷ１０７；Ｙｅｓ）、本処理を終了して、払出制御メイン処理へ戻る。
【０２１３】
一方、ステップＷ１０７において、払出制御基板４０は、総獲得数分の払出しが行われていないと判断した場合（ステップＷ１０７；Ｎｏ）、ステップＷ１０８へ移行する。
【０２１４】
次いで、ステップＷ１０８において、払出制御基板４０は、遊技球払出しのリトライ回数を設定する。
【０２１５】
次いで、ステップＷ１０９において、払出制御基板４０は、遊技球払出しの動作を行う。
【０２１６】
次いで、ステップＷ１１０において、払出制御基板４０は、不足分の遊技球が払出されたか否かを確認し、不足分の遊技球が払出されたと判断された場合（ステップＷ１１０；Ｙｅｓ）、本処理を終了して、払出制御メイン処理へ戻る。
【０２１７】
一方、ステップＷ１１０において、払出制御基板４０は、不足分の遊技球が払出されていないと判断した場合（ステップＷ１１０；Ｎｏ）、ステップＷ１１１へ移行する。
【０２１８】
そして、ステップＷ１１１において、払出制御基板４０は、設定された回数の払出しの動作が行われたか否かを判断し、設定された回数の払出しの動作が行われたと判断した場合（ステップＷ１１１；Ｙｅｓ）、ステップＷ１１２へ移行する。一方、ステップＷ１１１において、払出制御基板４０は、設定された回数の払出しの動作が行われていないと判断した場合（ステップＷ１１１；Ｎｏ）、ステップＷ１０９へ戻る。
【０２１９】
次いで、ステップＵ１１２において、払出制御基板４０は、払出しの動作を停止し、所定のエラー報知を行い、本処理を終了して、払出制御メイン処理へ戻る。
【０２２０】
以上のような遊技装置１０００は、払出制御基板４０によって、所定有価価値分の遊技媒体の払出数を変更されて設定された該遊技媒体の払出数から租税相当分の遊技媒体数を演算するとともに、該演算の結果に基づき租税相当分の遊技媒体数の遊技媒体を徴収することができる。
従って、所定有価価値分の遊技媒体の払出数を設定変更することができるとともに、設定変更された払出数から租税相当分の遊技媒体数を演算して、該演算の結果に基づき租税相当分の遊技媒体を徴収することができることとなり、遊技媒体の徴収により、適切に税金を徴収することができる。また、遊技装置１台で、遊技媒体の払出、払出しに要する遊技媒体の払出数の設定変更及び租税相当分の遊技媒体の徴収と３役をこなすことができることとなり、設備投資等の負担を好適に削減することができる。
【０２２１】
また、払出制御基板４０によって、払出しに要する遊技媒体の貸出価値を設定変更するので、所定有価価値分の遊技媒体の払出数を好適に設定することができるので、価値基準を一見して容易に把握することができるようになり、所定有価価値分の遊技媒体の払出数を好適に設定することができる。
【０２２２】
また、払出制御基板４０によって、１回の貸出制御に基づき、最小単位の有価価値ごとに所定回数、遊技媒体を払い出す制御を行うことができ、払出制御基板４０は、払出制御基板４０によって払い出される最小単位の有価価値分の遊技媒体の払出数を設定することができるので、遊技媒体の貸出が少量の遊技客に対しても、遊技媒体の払出数を好適に設定することができる。
【０２２３】
また、払出制御基板４０によって、払出制御基板４０によって設定された最小単位の有価価値分の遊技媒体の払出数から租税相当分の遊技媒体数を演算することができるので、遊技媒体の貸出が少量の遊技客に対しても、租税相当分の遊技媒体を好適に徴収することができる。
【０２２４】
また、払出制御基板４０によって、払出しに要する遊技媒体の貸出価値に応じて租税相当分の遊技媒体数を異ならせることができる。
【０２２５】
また、ＣＲユニット２００は、遊技媒体の貸出の制御を行う貸出ユニット制御基板２３０を備え、貸出ユニット制御基板２３０は、貸出ユニット制御基板２３０によって、遊技者による貸出価値に応じた遊技媒体の貸出要求に基づき、払出制御基板４０に対して払出要求を行うことができ、払出制御基板４０によって、貸出ユニット制御基板２３０からの払出要求に基づき、払出制御基板４０によって払い出される最小単位の有価価値分の遊技媒体の払出数を設定することができる。
従って、遊技媒体の貸出の段階で、遊技媒体払出数設定手段によって設定された最小単位の有価価値分の遊技媒体の払出数を設定することができることとなり、遊技媒体の貸出が少量の遊技客に対しても、租税相当分の遊技媒体を事前に徴収することができる。
【０２２６】
また、貸出ユニット制御基板２３０は、遊技者による遊技媒体の貸出要求に基づき、払出制御基板４０に対して貸出動作開始を指令する貸出動作開始信号を送信することができ、貸出ユニット制御基板２３０によって、貸出動作開始信号の送信後、所定時間経過後に払出制御基板４０に対して遊技媒体の払出要求を指令する払出要求信号を送信することができ、貸出ユニット制御基板２３０によって、貸出動作開始信号の送信から払出要求信号の送信までの送信時間を制御することができ、遊技媒体の貸出価値に応じて前記送信時間を異ならせることができる。
従って、送信時間を異ならせることによって、遊技媒体の貸出価値を設定変更することができることとなり、当該設定変更処理の負担を好適に軽減することができる。
【０２２７】
また、払出制御基板４０によって、貸出ユニット制御基板２３０により制御される送信時間に応じて、遊技媒体の貸出価値を設定することにより、払出制御基板４０へ払出数設定指令を行い、所定有価価値分の遊技媒体の払出数を設定することができることとなり、当該設定変更処理の負担を好適に軽減することができる。
【０２２８】
また、払出制御基板４０によって、払出制御基板４０から指令される払出数設定指令に基づき遊技媒体の払出数を設定することができ、払出制御基板４０によって、予め設定された租税率を読み出し、該租税率に応じて払出制御基板４０によって設定された払出数から租税相当分の遊技媒体を徴収することができるので、税率の変更に対しても好適に対処することができ、租税相当分の遊技媒体を好適に徴収することができることとなり、より適切に税金を徴収することができる。
【０２２９】
また、払出制御基板４０による最小単位の有価価値分の払出数から租税相当分の遊技媒体数を演算し、該演算による遊技媒体数に基づく徴収租税額と法定租税額との間に乖離が発生した場合は、払出制御基板４０によって、所定回数の遊技媒体の払出のうち最終の最小単位の有価価値分の払出数から乖離分の遊技媒体数を減算することができるので、より適切に税金を徴収することができる。
【０２３０】
また、当該遊技装置１０００は、所定の遊技を実行可能に構成され、払出制御基板４０によって、遊技の結果に基づいて賞として付与される遊技媒体の払出の制御を実行することができ、払出制御基板４０によって、所定回数の遊技媒体の払出のうち最終の最小単位の有価価値分の払出数から乖離分の遊技媒体数を減算してもまだ遊技店側に租税負担が生じている場合（前記徴収租税額が前記法定租税額に満たない場合）は、不足租税相当分の遊技媒体を前記賞として付与される遊技媒体から徴収することができるので、遊技店側の租税負担を好適に抑制するとともに、より適切に税金を徴収することができる。
【０２３１】
また、所定回数の遊技媒体の払出のうち最終の最小単位の有価価値分の払出数から乖離分の遊技媒体数を減算してもまだ遊技店側に租税負担が生じている場合（前記徴収租税額が前記法定租税額に満たない場合）は、さらに、払出制御基板４０によって、租税相当分の遊技媒体を賞として付与される遊技媒体から徴収することを選択された場合、払出制御基板４０によって、不足租税相当分の遊技媒体を賞として付与される遊技媒体から徴収することができるので、遊技店側は、租税相当分の遊技媒体を賞として付与される遊技媒体から徴収しないことを選択することができることとなり、かかる選択をすることによって、遊技客にサービス付与を行い、好適に集客率を上げることができる。
【０２３２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２３３】
例えば、上記の第２の実施形態において、徴収決定用乱数を判定するための判定値を変更可能な判定値変更ＳＷを設け、この判定値変更ＳＷを遊技店の係員が操作可能としても良い。このようにすれば、例えば、「税率還元祭」というようなイベントを実施することができ、遊技店の集客イベントに寄与することができる。
【０２３４】
また、徴収球を徴収するか否かを決定するためのスイッチ（徴収決定ＳＷ）を設け、この徴収決定ＳＷを遊技店の係員が操作可能としても良い。このようにすれば、例えば、「税率還元祭」というようなイベントを実施することができ、遊技店の集客イベントに寄与することができる。
【０２３５】
また、上記のように構成した場合に、「貸球価値設定ＳＷ２５０」や「貸球価値表示器２６０」は、パチンコ遊技機１００側（払出制御基板４０）に設けても良い。このようにすれば、「貸球価値設定ＳＷ２５０」や「貸球価値表示器２６０」を備えていない旧型のＣＲユニットを、通常貸球遊技エリア又は低貸球遊技エリアの何れでも使用することができるようになる。従って、遊技店に既に設置されている旧型のＣＲユニットに関しても低貸球遊技エリアで使用することができ、この低貸球遊技エリアに設置するためにＣＲユニットをわざわざ購入しなくてもよく、遊技店の経営に負担を掛けることを防止できる。
【０２３６】
また、「貸球価値設定ＳＷ２５０」、「貸球価値表示器２６０」をパチンコ遊技機１００側に設ける場合は、パチンコ遊技機１００に直接取付けるのではなく、払出制御基板４０（パチンコ遊技機側）と貸出ユニット制御基板２３０（ＣＲユニット２００側）の間に中継基板を設け、この中継基板に「貸球価値設定ＳＷ２５０」、「貸球価値表示器２６０」を配設するようにしても良い。このように構成することで、遊技店に既存するパチンコ遊技機１００及びＣＲユニット２００においても、貸球価値を変更可能となり、遊技店が設備投資に要する費用を最小限に抑えることができる。
【０２３７】
また、「貸球価値設定ＳＷ２５０」や「貸球価値表示器２６０」を備えたパチンコ遊技機１００を使用する場合は、パチンコ遊技機１００及びＣＲユニット２００の両方に低貸球価値又は通常貸球価値に切り換えるための機能を設けることになる。そこで、パチンコ遊技機１００の貸球価値を設定する第１貸球価値設定手段（パチンコ遊技機１００側の貸球価値設定ＳＷ）と、ＣＲユニット２００側の貸球価値を設定する第２貸球価値設定手段（ＣＲユニット２００側の貸球価値設定ＳＷ２５０）と、第１貸球価値設定手段によって設定される第１貸球設定値と第２貸球価値設定手段によって設定される第２貸球価値とが等しいか否かを判定する貸球価値判定手段（払出制御基板４０のＣＰＵ４０ａ、若しくは貸出ユニット制御基板２３０のＣＰＵ２３０ａ、又は両方）と、を備え、貸球価値判定手段の判定結果に基づいて遊技球の貸出制御を実行可能にする球貸制御実行手段を備えるようにしても良い。このように構成することで、通常貸球価値でパチンコ遊技機を使用している場合に、不正遊技者が貸球数を増加させる（貸球価値を低貸球価値に変更することで100円あたりの貸球数を増やす）ために一方の貸球価値を変更すると、遊技を実行（続行）させることができなくなる。また、低貸球価値でパチンコ遊技機を使用している場合に、不正遊技者が交換価値を高める（貸球価値を低貸球価値から通常貸球価値に変更することで100円あたり1円の価値が100円あたり4円の価値に変更される）ために一方の貸球価値を変更すると、遊技を実行（続行）させることができなくなる。したがって、貸球価値を不正に操作することを効果的に防止できるようになる。
【０２３８】
また、近年では、１つのコーナーに複数種類のパチンコ遊技機（例えば、ゲーム性の異なるもの、異なるメーカーのもの等）が設置されたバラエティコーナーを設置する遊技店が多数存在する。このバラエティコーナーは、遊技者に様々なゲーム性のパチンコ機を遊技してもらうことを趣旨として設けている。そして、貸球価値の異なるパチンコ遊技機が設置されるバラエティコーナーを設けることも予想されるが、その場合には、上記したように不正により貸球価値が変更される虞があると、その不正を防止するために四六時中係員が遊技者を監視する等の必要があり、容易ではない。そこで、上記のようにパチンコ遊技機及びＣＲユニット２００を構成すれば、上記不正を容易に防止することができ、ホール営業の多様化に寄与することができるようになる。
【図面の簡単な説明】
【０２３９】
【図１】本発明における遊技装置を構成する島構成を示す図である。
【図２】島に配される遊技装置（パチンコ遊技機とＣＲユニット）の正面図である。
【図３】島に配される遊技装置（パチンコ遊技機とＣＲユニット）のブロック図である。
【図４】本発明における税率設定テーブルであり、（ａ）通常貸球の貸球価値（１００円＝２５球）設定の税率設定テーブル、（ｂ）低貸球の貸球価値（１００円＝１００球）設定の税率設定テーブルである。
【図５】本発明における遊技装置のタイミングチャート図である。
【図６】本発明における遊技装置のタイミングチャート図である。
【図７】本発明における遊技装置の遊技球の貸し動作を行う際の各種信号の送信タイミングを記憶したタイミングテーブルであり、（ａ）通常貸球の貸球価値（１００円＝２５球）設定のタイミングテーブル、（ｂ）低貸球の貸球価値（１００円＝１００球）設定のタイミングテーブルである。
【図８】本発明における遊技システムの払出制御メイン処理の概要を説明するためのゼネラルフローチャート図である。
【図９】払出制御基板によるタイマ割込処理のフローチャート図である。
【図１０】図８に示す払出制御メイン処理のゼネラルフローチャートを詳細に示すフローチャート図である。
【図１１】本発明における遊技装置の税率設定処理を説明するためのフローチャート図である。
【図１２】本発明における遊技装置の貸球価値確認処理を説明するためのフローチャート図である。
【図１３】本発明における遊技装置の球貸制御処理を説明するためのフローチャート図である。
【図１４】本発明における遊技装置の球貸制御処理を説明するためのフローチャート図である。
【図１５】本発明における遊技装置の賞球制御処理を説明するためのフローチャート図である。
【図１６】本発明における遊技装置のカード制御処理を説明するためのフローチャート図である。
【図１７】本発明における遊技装置のカード制御処理を説明するためのフローチャート図である。
【図１８】本発明における遊技装置のカード制御処理を説明するためのフローチャート図である。
【図１９】本発明における遊技装置の賞球制御処理の変形例を説明するためのフローチャート図である。
【符号の説明】
【０２４０】
１０００  遊技装置
１００    パチンコ遊技機
４０      払出制御基板（遊技媒体払出制御手段、遊技媒体払出数設定手段、租税徴収手段、最小単位払出制御手段、租税徴収選択手段）
１０５    税率変更ＳＷ
２００    ＣＲユニット
２３０    貸出ユニット制御基板（遊技媒体貸出制御手段、払出要求手段、貸出動作開始指令手段、払出要求指令手段、指令送信制御手段）
２５０    貸球価値設定Ｗ
【図１】
0004772768.tif 000002
【図２】
0004772768.tif 000003
【図３】
0004772768.tif 000004
【図４】
0004772768.tif 000005
【図５】
0004772768.tif 000006
【図６】
0004772768.tif 000007
【図７】
0004772768.tif 000008
【図８】
0004772768.tif 000009
【図９】
0004772768.tif 000010
【図１０】
0004772768.tif 000011
【図１１】
0004772768.tif 000012
【図１２】
0004772768.tif 000013
【図１３】
0004772768.tif 000014
【図１４】
0004772768.tif 000015
【図１５】
0004772768.tif 000016
【図１６】
0004772768.tif 000017
【図１７】
0004772768.tif 000018
【図１８】
0004772768.tif 000019
【図１９】
0004772768.tif 000020